(57)【要約】  本発明は、情報を送信するための方法および装置を提供し、ｇｒｏｕｐ ｃｏｍｍｏｎ ＰＤＣＣＨを使用して端末グループに関連する情報を送信する解決策が存在しないという先行技術の問題を解決する。本発明の実施形態に係る基地局は、送信する必要がある端末グループの情報を決定し、前記基地局は、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
2020520158.tif 000002
【特許請求の範囲】
【請求項１】
基地局が、送信する必要がある端末グループの情報を決定し、
前記基地局が、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信することを特徴とする情報を送信するための方法。
【請求項２】
前記固定サブキャリア間隔は、前記基地局が共通ダウンリンク制御チャネルのリソース集合の送信のために使用するサブキャリア間隔であることを特徴とする請求項１に記載の情報を送信するための方法。
【請求項３】
前記異なるサブキャリア間隔は、端末が同じスロット（ｓｌｏｔ）でのデータの送受信のために使用するサブキャリア間隔を含むことを特徴とする請求項１に記載の情報を送信するための方法。
【請求項４】
前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信することを特徴とする請求項３に記載の情報を送信するための方法。
【請求項５】
前記異なるサブキャリア間隔は、各ｓｌｏｔに対応するサブキャリア間隔を含むことを特徴とする請求項１に記載の情報を送信するための方法。
【請求項６】
前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送受信することを特徴とする請求項５に記載の情報を送信するための方法。
【請求項７】
基地局は、明示的なシグナリングを通じて端末によってｇｒｏｕｐ ｃｏｍｍｏｎ ＰＤＣＣＨを送信するために使用されるサブキャリア間隔を通知することを特徴とする請求項１に記載の情報を送信するための方法。
【請求項８】
端末が、前記端末が属する端末グループに対応するグループ共通物理ダウンリンク制御チャネル（ｇｒｏｕｐ ｃｏｍｍｏｎ ＰＤＣＣＨ）を検出し、
前記端末が、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信することを特徴とする情報を送信するための方法。
【請求項９】
前記固定サブキャリア間隔は、前記端末が共通ダウンリンク制御チャネルのリソース集合の受信のために使用するサブキャリア間隔であることを特徴とする請求項８に記載の情報を送信するための方法。
【請求項１０】
前記異なるサブキャリア間隔は、前記端末が同じスロット（ｓｌｏｔ）においてデータの送受信のために使用するサブキャリア間隔であることを特徴とする請求項８に記載の情報を送信するための方法。
【請求項１１】
前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を受信することを特徴とする請求項１０に記載の情報を送信するための方法。
【請求項１２】
前記異なるサブキャリア間隔は、各ｓｌｏｔに対応するサブキャリア間隔を含むことを特徴とする請求項８に記載の情報を送信するための方法。
【請求項１３】
前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信することを特徴とする請求項１２に記載の情報を送信するための方法。
【請求項１４】
端末によってｇｒｏｕｐ ｃｏｍｍｏｎ ＰＤＣＣＨを送信するために使用されるサブキャリア間隔は、基地局が明示的なシグナリングを通じて通知したものであることを特徴とする請求項８に記載の情報を送信するための方法。
【請求項１５】
送受信機によりデータを送受信し、メモリ内のプログラムを読み取り、以下のプロセスを実行するためのプロセッサと、
プロセッサの制御下でデータを送受信するための送受信機とを備え、
前記プロセッサは、送信する必要がある端末グループの情報を決定し、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信することを特徴とする基地局。
【請求項１６】
前記固定サブキャリア間隔は、前記基地局が共通ダウンリンク制御チャネルのリソース集合の送信のために使用するサブキャリア間隔であることを特徴とする請求項１５に記載の基地局。
【請求項１７】
前記異なるサブキャリア間隔は、端末が同じスロット（ｓｌｏｔ）でのデータの送受信のために使用するサブキャリア間隔を含むことを特徴とする請求項１５に記載の基地局。
【請求項１８】
前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信することを特徴とする請求項１７に記載の基地局。
【請求項１９】
前記異なるサブキャリア間隔は、各ｓｌｏｔに対応するサブキャリア間隔を含むことを特徴とする請求項１５に記載の基地局。
【請求項２０】
前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送受信することを特徴とする請求項１９に記載の基地局。
【請求項２１】
基地局は、明示的なシグナリングを通じて端末によってｇｒｏｕｐ ｃｏｍｍｏｎ ＰＤＣＣＨを送信するために使用されるサブキャリア間隔を通知することを特徴とする請求項１５に記載の基地局。
【請求項２２】
送受信機によりデータを送受信し、メモリ内のプログラムを読み取り、以下のプロセスを実行するためのプロセッサと、
プロセッサの制御下でデータを送受信するための送受信機とを備え、
前記プロセッサは、端末が属する端末グループに対応するグループ共通物理ダウンリンク制御チャネル（ｇｒｏｕｐ ｃｏｍｍｏｎ ＰＤＣＣＨ）を検出し、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信することを特徴とする端末。
【請求項２３】
前記固定サブキャリア間隔は、前記端末が共通ダウンリンク制御チャネルのリソース集合の受信のために使用するサブキャリア間隔であることを特徴とする請求項２２に記載の端末。
【請求項２４】
前記異なるサブキャリア間隔は、前記端末が同じスロット（ｓｌｏｔ）においてデータの送受信のために使用するサブキャリア間隔であることを特徴とする請求項２２に記載の端末。
【請求項２５】
前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を受信することを特徴とする請求項２４に記載の端末。
【請求項２６】
前記異なるサブキャリア間隔は、各ｓｌｏｔに対応するサブキャリア間隔を含むことを特徴とする請求項２２に記載の端末。
【請求項２７】
前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信することを特徴とする請求項２６に記載の端末。
【請求項２８】
端末によってｇｒｏｕｐ ｃｏｍｍｏｎ ＰＤＣＣＨを送信するために使用されるサブキャリア間隔は、基地局が明示的なシグナリングを通じて通知したものであることを特徴とする請求項２２に記載の端末。
【請求項２９】
送信する必要がある端末グループの情報を決定するための決定モジュールと、
前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信するための送信モジュールとを備えることを特徴とする情報を送信するための基地局。
【請求項３０】
端末が属する端末グループに対応するグループ共通物理ダウンリンク制御チャネル（ｇｒｏｕｐ ｃｏｍｍｏｎ ＰＤＣＣＨ）を検出するための検出モジュールと、
前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信する受信モジュールとを備えることを特徴とする情報を送信するための端末。
【発明の詳細な説明】
【技術分野】
【０００１】
関連出願の相互参照
本出願は、２０１７年５月５日に中国特許局に提出された、出願番号が第２０１７１０３１４１６３．０号であり、発明の名称が「情報を送信するための方法および装置」である中国特許出願を基礎とする優先権を主張し、その開示の総てをここに取り込む。
【０００２】
本発明は、無線通信技術分野に関し、特に、情報を送信するための方法および装置に関する。
【背景技術】
【０００３】
モバイル技術の発展に伴い、将来のモバイル通信システムでは、ネットワーク遅延を低減し、幅広いサービスタイプをサポートする必要がある。ＬＴＥ（Ｌｏｎｇ Ｔｅｒｍ Ｅｖｏｌｕｔｉｏｎ）システムでは、ＰＤＣＣＨ（ｐｈｙｓｉｃａｌ ｄｏｗｎｌｉｎｋ ｃｏｎｔｒｏｌ ｃｈａｎｎｅｌ，物理ダウンリンク制御チャネル）を使用してスケジューリング情報およびその他の制御情報を搬送し、各ダウンリンクサブフレームの制御領域に複数のＰＤＣＣＨを含み得る。
【０００４】
ＰＤＣＣＨは、端末に通知またはスケジューリングするため、または基地局内のすべての端末に通知またはスケジューリングするため、または基地局内の端末グループに通知またはスケジューリングするために使用される。無線通信システムの発展に伴い、ダウンリンク制御チャネルの種類はより豊富になり、送信方法はより柔軟になってきた。既存のＬＴＥシステムでは、ＵＥ（Ｕｓｅｒ Ｅｑｕｉｐｍｅｎｔ，ユーザー機器）は、望ましい情報に従ってＣＳＳ（Ｃｏｍｍｏｎ ｓｅａｒｃｈ ｓｐａｃｅ，共通サーチスペース）またはＵＳＳ（ＵＥ−ｓｐｅｃｉｆｉｃ ｓｅａｒｃｈ ｓｐａｃｅ，ユーザー機器固有のサーチスペース）において、自身に対応するＰＤＣＣＨをブラインド検出する。たとえば、ＵＥは、ＵＳＳにおいて、モノキャストデータをスケジューリングするためのＰＤＣＣＨを検出および受信し、ＣＳＳにおいて、ブロードキャストデータをスケジューリングするためのＰＤＣＣＨを検出および受信する。ＬＴＥシステムでは、データ送信中にダウンリンク制御チャネルによって使用されるリソースが配置されるサブキャリアのサブキャリア間隔は固定されている。将来のモバイル通信システムは異なるサブキャリア間隔をサポートする必要があり、端末はさまざまなサブキャリア間隔をサポートする必要がある。たとえば、同じまたは異なるｓｌｏｔ（スロット）でデータを送信するために異なるサブキャリア間隔が使用される。将来のモバイル通信システムでは、端末グループに関連する情報をスケジューリングまたは通知するためのｇｒｏｕｐ（グループ）ｃｏｍｍｏｎ（共通）ＰＤＣＣＨを導入する必要があり、基地局が異なるサブキャリア間隔を使用して端末グループに関連する情報を送信する使用とする場合、ｇｒｏｕｐ ｃｏｍｍｏｎ ＰＤＣＣＨを使用して端末グループに関連する情報を送信する技術はまだ存在しない。
【０００５】
要約すると、基地局が異なるサブキャリア間隔を使用して端末グループに関連する情報を送信する必要がある場合、ｇｒｏｕｐ ｃｏｍｍｏｎ ＰＤＣＣＨを使用して端末グループに関連する情報を送信する解決策は現在のところ存在しない。
【発明の概要】
【発明が解決しようとする課題】
【０００６】
本発明は、情報を送信するための方法および装置を提供し、基地局が異なるサブキャリア間隔を使用して端末グループに関連する情報を送信する必要がある場合、ｇｒｏｕｐ ｃｏｍｍｏｎ ＰＤＣＣＨを使用して端末グループに関連する情報を送信する解決策が存在しないという先行技術の問題を解決する。
【課題を解決するための手段】
【０００７】
上記の従来技術における問題点を解決するため、第１の態様によれば、本発明の実施形態に係る情報を送信するための方法は、
基地局が、送信する必要がある端末グループの情報を決定するステップと、
前記基地局が、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信するステップとを有する。
【０００８】
オプションとして、前記固定サブキャリア間隔は、前記基地局が共通ダウンリンク制御チャネルのリソース集合の送信のために使用するサブキャリア間隔である。
【０００９】
オプションとして、前記異なるサブキャリア間隔は、前記端末グループ内の端末が同じスロット（ｓｌｏｔ）でのデータの送受信のために使用するサブキャリア間隔を含む。
【００１０】
オプションとして、前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【００１１】
オプションとして、前記異なるサブキャリア間隔は、各ｓｌｏｔに対応するサブキャリア間隔を含む。
【００１２】
オプションとして、前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送信する。
【００１３】
オプションとして、基地局は、明示的なシグナリングを通じて端末によってｇｒｏｕｐ ｃｏｍｍｏｎ ＰＤＣＣＨを送信するために使用されるサブキャリア間隔を通知する。
【００１４】
第２の態様によれば、本発明の実施形態に係る情報を送信するための方法は、
端末が、前記端末が属する端末グループに対応するグループ共通物理ダウンリンク制御チャネル（ｇｒｏｕｐ ｃｏｍｍｏｎ ＰＤＣＣＨ）を検出するステップと、
前記端末が、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信するステップとを有する。
【００１５】
オプションとして、前記固定サブキャリア間隔は、前記基地局が共通ダウンリンク制御チャネルのリソース集合の送信のために使用するサブキャリア間隔である。
【００１６】
オプションとして、前記異なるサブキャリア間隔は、前記端末が同じスロット（ｓｌｏｔ）でのデータ送受信のために使用するサブキャリア間隔を含む。
【００１７】
オプションとして、前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を受信する。
【００１８】
オプションとして、前記異なるサブキャリア間隔は、各ｓｌｏｔに対応するサブキャリア間隔を含む。
【００１９】
オプションとして、前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【００２０】
オプションとして、端末によってｇｒｏｕｐ ｃｏｍｍｏｎ ＰＤＣＣＨを送信するために使用されるサブキャリア間隔は、基地局が明示的なシグナリングを通じて通知したものである。
【００２１】
第３の態様によれば、本発明の実施形態に係る情報を送信するための基地局は、
送信する必要がある端末グループの情報を決定するための決定モジュールと、
前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信するための送信モジュールとを備える。
【００２２】
オプションとして、前記固定サブキャリア間隔は、前記基地局が共通ダウンリンク制御チャネルのリソース集合の送信のために使用するサブキャリア間隔である。
【００２３】
オプションとして、前記異なるサブキャリア間隔は、前記端末グループ内の端末が同じスロット（ｓｌｏｔ）でのデータの送受信のために使用するサブキャリア間隔を含む。 
【００２４】
オプションとして、前記送信モジュールは、
前記ｓｌｏｔ内の任意のサブキャリア間隔に対し、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【００２５】
オプションとして、前記異なるサブキャリア間隔は、各ｓｌｏｔに対応するサブキャリア間隔を含む。
【００２６】
オプションとして、前記送信モジュールは、
任意のｓｌｏｔに対し、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送信する。
【００２７】
オプションとして、基地局は、明示的なシグナリングを通じて端末によってｇｒｏｕｐ ｃｏｍｍｏｎ ＰＤＣＣＨを送信するために使用されるサブキャリア間隔を通知する。
【００２８】
第４の態様によれば、本発明の実施形態に係る情報を送信するための端末は、
前記端末が属する端末グループに対応するグループ共通物理ダウンリンク制御チャネル（ｇｒｏｕｐ ｃｏｍｍｏｎ ＰＤＣＣＨ）を検出するための検出モジュールと、
前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信する受信モジュールとを備える。
【００２９】
オプションとして、前記固定サブキャリア間隔は、前記端末が共通ダウンリンク制御チャネルのリソース集合の受信のために使用するサブキャリア間隔である。
【００３０】
オプションとして、前記異なるサブキャリア間隔は、前記端末が同じスロット（ｓｌｏｔ）でのデータ送受信のために使用するサブキャリア間隔を含む。
【００３１】
オプションとして、前記受信モジュールは、
前記ｓｌｏｔ内の任意のサブキャリア間隔に対し、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【００３２】
オプションとして、前記異なるサブキャリア間隔は、各ｓｌｏｔに対応するサブキャリア間隔を含む。
【００３３】
オプションとして、前記受信モジュールは、
任意のｓｌｏｔに対し、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【００３４】
オプションとして、端末によってｇｒｏｕｐ ｃｏｍｍｏｎ ＰＤＣＣＨを送信するために使用されるサブキャリア間隔は、基地局が明示的なシグナリングを通じて通知したものである。
【００３５】
第５の態様によれば、本発明の実施形態に係る情報を送信するための基地局は、
送受信機によりデータを送受信し、メモリ内のプログラムを読み取り、以下のプロセスを実行するためのプロセッサと、
プロセッサの制御下でデータを送受信するための送受信機とを備え、
前記プロセッサは、送信する必要がある端末グループの情報を決定し、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
【００３６】
オプションとして、前記固定サブキャリア間隔は、前記基地局が共通ダウンリンク制御チャネルのリソース集合の送信のために使用するサブキャリア間隔である。
【００３７】
オプションとして、前記異なるサブキャリア間隔は、端末が同じスロット（ｓｌｏｔ）でのデータの送受信のために使用するサブキャリア間隔を含む。 
【００３８】
オプションとして、前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【００３９】
オプションとして、前記異なるサブキャリア間隔は、各ｓｌｏｔに対応するサブキャリア間隔を含む。
【００４０】
オプションとして、前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送受信する。
【００４１】
オプションとして、基地局は、明示的なシグナリングを通じて端末によってｇｒｏｕｐ ｃｏｍｍｏｎ ＰＤＣＣＨを送信するために使用されるサブキャリア間隔を通知する。
【００４２】
第６態様によれば、本発明の実施形態に係る情報を送信するための端末は、
送受信機によりデータを送受信し、メモリ内のプログラムを読み取り、以下のプロセスを実行するためのプロセッサと、
プロセッサの制御下でデータを送受信するための送受信機とを備え、
前記プロセッサは、前記端末が属する端末グループに対応するグループ共通物理ダウンリンク制御チャネル（ｇｒｏｕｐ ｃｏｍｍｏｎ ＰＤＣＣＨ）を検出し、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信する。
【００４３】
オプションとして、前記固定サブキャリア間隔は、前記端末が共通ダウンリンク制御チャネルのリソース集合の受信のために使用するサブキャリア間隔である。
【００４４】
オプションとして、前記異なるサブキャリア間隔は、前記端末が同じスロット（ｓｌｏｔ）においてデータの送受信のために使用するサブキャリア間隔である。
【００４５】
オプションとして、前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を受信する。
【００４６】
オプションとして、前記異なるサブキャリア間隔は、各ｓｌｏｔに対応するサブキャリア間隔を含む。
【００４７】
オプションとして、前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【００４８】
オプションとして、端末によってｇｒｏｕｐ ｃｏｍｍｏｎ ＰＤＣＣＨを送信するために使用されるサブキャリア間隔は、基地局が明示的なシグナリングを通じて通知したものである。
【発明の効果】
【００４９】
本発明の実施形態によって提供される解決策では、基地局が異なるサブキャリア間隔を使用して端末グループに関連する情報を送信する必要がある場合、基地局は、送信する必要がある端末のグループに関連する情報を送信し、ｇｒｏｕｐ ｃｏｍｍｏｎ ＰＤＣＣＨを通じて、固定サブキャリア間隔または異なるサブキャリア間隔を使用して、端末グループの情報を端末グループ内の端末に送信し、一方、端末グループ内の端末も、ｇｒｏｕｐ ｃｏｍｍｏｎ ＰＤＣＣＨを通じて、固定サブキャリア間隔または異なるサブキャリア間隔を使用して、基地局から端末グループの情報を受信する。したがって、基地局が異なるサブキャリア間隔を使用して端末グループに関連する情報を送信する必要がある場合、基地局は、端末グループの情報を端末に柔軟に送信できるため、システムのパフォーマンスがさらに向上する。
【図面の簡単な説明】
【００５０】
【図１】本発明の実施形態に係る情報を送信するためのシステムの構造概略図である。
【図２】本発明の実施形態に係る同じｓｌｏｔ内のサブキャリア間隔の概略図である。
【図３】本発明の実施形態に係る異なるｓｌｏｔ内のサブキャリア間隔の概略図である。
【図４】本発明の実施形態に係る第１の情報を送信するためのシステム情報を送信するための方法の概略図である。
【図５】本発明の実施形態に係る第２の情報を送信するためのシステム情報を送信するための方法の概略図である。
【図６】本発明の実施形態に係る第３の情報を送信するためのシステム情報を送信するための方法の概略図である。
【図７】本発明の実施形態に係る第４の情報を送信するためのシステム情報を送信するための方法の概略図である。
【図８】本発明の実施形態に係る第１の情報を送信するための基地局の構造概略図である。
【図９】本発明の実施形態に係る情報を送信するための第１の端末の構造概略図である。
【図１０】本発明の実施形態に係る情報を送信するための第２の基地局の構造概略図である。
【図１１】本発明の実施形態に係る情報を送信するための第２の端末の構造概略図である。
【図１２】本発明の実施形態に係る基地局の補助で情報を送信するための方法のフローチャートである。
【図１３】本発明の実施形態に係る端末の補助で情報を送信するための方法のフローチャートである。
【発明を実施するための形態】
【００５１】
本発明の実施形態における目的、技術方案と利点を明確にするため、以下に本発明の実施形態における図と結合して本発明の実施形態における技術方案の詳細を明確かつ十分に説明する。当然ながら、記載した実施形態は本発明の実施形態の一部に過ぎず、全ての実施形態ではない。本発明における実施形態に基づき、当業者は、創造性作業を行わないことを前提として、取得したその他の実施形態は、本発明の保護範囲に属する。
【００５２】
図１に示すように、本発明の実施形態に係る、情報を送信するためのシステムは、基地局１０と、端末２０とを備える。
【００５３】
基地局１０は、送信する必要がある端末グループの情報を決定し、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
【００５４】
端末２０は、前記端末が属する端末グループに対応するグループ共通物理ダウンリンク制御チャネル（ｇｒｏｕｐ ｃｏｍｍｏｎ ＰＤＣＣＨ）を検出し、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信する。
【００５５】
基地局が異なるサブキャリア間隔を使用して端末グループに関連する情報を送信する必要がある場合、本発明の実施形態に係る基地局は、送信する必要がある端末のグループに関連する情報を送信し、ｇｒｏｕｐ ｃｏｍｍｏｎ ＰＤＣＣＨを通じて、固定サブキャリア間隔または異なるサブキャリア間隔を使用して、端末グループの情報を端末グループ内の端末に送信し、一方、端末グループ内の端末も、ｇｒｏｕｐ ｃｏｍｍｏｎ ＰＤＣＣＨを通じて、固定サブキャリア間隔または異なるサブキャリア間隔を使用して、基地局から端末グループの情報を受信する。従って、基地局が異なるサブキャリア間隔を使用して端末グループに関連する情報を送信する必要がある場合、基地局は、端末グループの情報を端末に柔軟に送信できるため、システムのパフォーマンスがさらに向上する。
【００５６】
ここで、ＳＣＳ（ｓｕｂｃａｒｒｉｅｒ ｓｐａｃｅ，サブキャリア間隔）情報（またはｎｕｍｅｒｏｌｏｇｙ情報と呼ばれる）は、基地局による端末への通知を通じて、または暗黙的な方法で取得される。
【００５７】
本発明の実施形態に係る端末グループは、少なくとも１つの端末を含む。基地局は、当該端末グループに対応するｇｒｏｕｐ ｃｏｍｍｏｎ ＰＤＣＣＨを通じて、端末グループ内の端末に当該端末グループの情報を送信する。ここで、端末グループの情報は、当該端末グループ内のすべての端末の共通に関連情報であり、具体的に、当該端末グループの情報に含まれる情報は、本発明の実施形態では限定しない。
【００５８】
本発明の実施形態では、前記端末はＵＥとも呼ばれ得る。ＵＥは静的または移動できる。ＵＥは、モバイルステーション、加入者ユニット、ステーションなどと呼ばれることもる。ＵＥは、携帯電話、携帯情報端末（ＰＤＡ）、無線モデム、無線通信デバイス、ハンドホールドデバイス、ラップトップコンピュータ、コードレス電話、無線ローカルループ（ＷＬＬ）ステーション、タブレットパーソナルコンピュータなどであってよい。ＵＥは、マクロｅＮＢ、マイクロマイクロｅＮＢ、フェムトｅＮＢ、中継局などのネットワーク側デバイスと通信できる。
【００５９】
オプションとして、基地局側および端末側は、端末グループの情報がｇｒｏｕｐ ｃｏｍｍｏｎ ＰＤＣＣＨを介して送信されるとき、同じサブキャリア間隔を使用することにより端末グループの情報を送信および受信する必要がある。基地局は、端末が基地局と同じモードを使用して端末グループの情報を受信できるように、基地局が使用する端末グループの情報を送信するモードを端末に通知する。
【００６０】
たとえば、基地局が端末グループに対応するｇｒｏｕｐ ｃｏｍｍｏｎ ＰＤＣＣＨのリソース集合内で、端末グループの情報を送信するために固定サブキャリア間隔を使用する場合、端末が、端末グループに対応するｇｒｏｕｐ ｃｏｍｍｏｎ ＰＤＣＣＨのリソース集合内で、固定サブキャリア間隔を使用して、基地局から送信された端末グループの情報を受信できるように、基地局は使用する送信モードを端末に通知する。
【００６１】
基地局が、端末グループに対応するｇｒｏｕｐ ｃｏｍｍｏｎ ＰＤＣＣＨのリソース集合内で、端末グループの情報を送信するために異なるサブキャリア間隔を使用する場合、基地局は、使用された送信モードを端末に通知する。端末が、端末グループに対応するｇｒｏｕｐ ｃｏｍｍｏｎ ＰＤＣＣＨのリソース集合内で、異なるサブキャリア間隔を使用して、基地局から送信された端末グループの情報を受信できるようにする。
【００６２】
基地局が端末に明示的にデータ受信中に使用されるサブキャリア間隔を通知する上述のモードは、本発明の実施形態で例としてあげることに過ぎず、サブキャリア間隔中に使用されることに留意する必要がある。端末のデータ受信際のサブキャリア間隔は、事前定義された方法でさらに決定できる。本発明の実施形態によって保護される端末のデータ受信に採用されるサブキャリア間隔を決定するためのモードは、上記の例に限定されず、データ受信中に採用されるサブキャリア間隔を決定できる任意のモードは本発明に適用可能である。
【００６３】
本発明の実施形態に係る基地局によって構成された異なるサブキャリア間隔を使用して端末グループに関連する情報を送信することは、以下の２つの場合を含むが、これらに限定されない。
１．基地局は、ｓｌｏｔ（スロット）に異なるサブキャリア間隔が存在するように、構成する。
２．基地局は、ｓｌｏｔ間に異なるサブキャリア間隔が存在するように、構成する。
上記の２つの場合は、以下で別々に説明される。
【００６４】
場合Ｉ：基地局は、ｓｌｏｔ（スロット）に異なるサブキャリア間隔が存在するように、構成する。
【００６５】
前記基地局は、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
【００６６】
ここで、基地局がｓｌｏｔに異なるサブキャリア間隔が存在するように構成するとき異なるサブキャリア間隔を使用するリソースは周波数領域で直交している。
【００６７】
Ｉ：基地局は、前記端末グループに対応するｇｒｏｕｐ ｃｏｍｍｏｎ ＰＤＣＣＨのリソース集合において、端末グループの情報を送信するために固定サブキャリア間隔を使用する。
【００６８】
一方、端末は、前記端末グループに対応するｇｒｏｕｐ ｃｏｍｍｏｎ ＰＤＣＣＨのリソース集合において、固定サブキャリア間隔を使用して基地局から前記端末グループの情報を受信する。
【００６９】
オプションとして、基地局が、端末グループに対応するｇｒｏｕｐ ｃｏｍｍｏｎ ＰＤＣＣＨのリソース集合において端末グループの情報を送信するために固定サブキャリア間隔を使用することを決定した後、端末は、基地局からの通知を受信した後、端末グループに対応するｇｒｏｕｐ ｃｏｍｍｏｎ ＰＤＣＣＨのリソース集合において、固定サブキャリア間隔を使用して基地局から端末グループの情報を受信する。
【００７０】
オプションとして、前記固定サブキャリア間隔は、前記基地局が共通ダウンリンク制御チャネルのリソース集合の送信のために使用するサブキャリア間隔である。
【００７１】
たとえば、基地局によって構成されたｓｌｏｔには、２種類の異なるサブキャリア間隔があり、すなわち１５ｋＨｚと３０ｋＨｚが存在する。そして、基地局が共通ダウンリンク制御チャネルのリソース集合の送信のために使用するサブキャリア間隔が１５ｋＨｚであり、基地局は、端末グループに対応するｇｒｏｕｐ ｃｏｍｍｏｎ ＰＤＣＣＨのリソース集合において、１５ｋＨｚのサブキャリア間隔を常に使用して、端末グループの情報を送信する。
【００７２】
一方、基地局は、端末が２種類のサブキャリア間隔（すなわち１５ｋＨｚと３０ｋＨｚ）でデータを送受信するように、構成する。そして、端末が共通ダウンリンク制御チャネルのリソース集合の受信のために使用するサブキャリア間隔が１５ｋＨｚであり、端末は、端末グループに対応するｇｒｏｕｐ ｃｏｍｍｏｎ ＰＤＣＣＨのリソース集合において、１５ｋＨｚのサブキャリア間隔を常に使用して、基地局から端末グループの情報を受信する。
【００７３】
基地局が共通ダウンリンク制御チャネルのリソース集合の送信のために使用するサブキャリア間隔を、固定サブキャリア間隔とすることは、本発明の実施形態の１つの実施モードにすぎないことに留意する必要がある。本発明の実施形態によって保護される固定サブキャリア間隔は、基地局が共通ダウンリンク制御チャネルのリソース集合の送信のために使用するサブキャリア間隔に限定されない。たとえば、本発明の実施形態では、固定サブキャリア間隔として所定値を取ることができる。
【００７４】
たとえば、基地局によって構成されたｓｌｏｔには、２種類の異なるサブキャリア間隔があり、すなわち１５ｋＨｚと３０ｋＨｚが存在する。そして、基地局が共通ダウンリンク制御チャネルのリソース集合の送信のために使用するサブキャリア間隔が１５ｋＨｚであり、基地局によって事前設定した固定サブキャリア間隔は３０ｋＨｚである。基地局は、端末グループに対応するｇｒｏｕｐ ｃｏｍｍｏｎ ＰＤＣＣＨのリソース集合において、３０ｋＨｚのサブキャリア間隔を常に使用して端末グループの情報を送信する。
【００７５】
一方、基地局は、端末が２種類のサブキャリア間隔（すなわち１５ｋＨｚと３０ｋＨｚ）でデータを送受信するように、構成する。そして、端末が共通ダウンリンク制御チャネルのリソース集合の受信のために使用するサブキャリア間隔が１５ｋＨｚであり、基地局によって事前設定した固定サブキャリア間隔は３０ｋＨｚである。端末は、端末グループに対応するｇｒｏｕｐ ｃｏｍｍｏｎ ＰＤＣＣＨのリソース集合において、３０ｋＨｚのサブキャリア間隔を常に使用して基地局から端末グループの情報を受信する。
【００７６】
ＩＩ：基地局は、前記端末グループに対応するｇｒｏｕｐ ｃｏｍｍｏｎ ＰＤＣＣＨの異なるリソース集合において、異なるサブキャリア間隔を使用して端末グループの情報を送信する。
【００７７】
一方、端末は、前記端末グループに対応するｇｒｏｕｐ ｃｏｍｍｏｎ ＰＤＣＣＨの異なるリソース集合において、異なるサブキャリア間隔を使用して基地局から前記端末グループの情報を受信する。
【００７８】
オプションとして、基地局は、端末グループに対応するｇｒｏｕｐ ｃｏｍｍｏｎ ＰＤＣＣＨの異なるリソース集合において、異なるサブキャリア間隔を使用して端末グループの情報を送信することを決定した後、端末は、基地局からの通知を受信した後、端末グループに対応するｇｒｏｕｐ ｃｏｍｍｏｎ ＰＤＣＣＨの異なるリソース集合において、異なるサブキャリア間隔を使用して基地局から端末グループの情報を受信する。
【００７９】
オプションとして、前記異なるサブキャリア間隔は、前記端末グループ内の端末が同じｓｌｏｔでのデータの送受信のために使用するサブキャリア間隔を含む。
【００８０】
前記端末グループ内の端末が同じｓｌｏｔでのデータの送受信のために使用するサブキャリア間隔が図２に示されており、ここで、ｓｌｏｔ内の第１のリソース領域に対応するサブキャリア間隔が１５ｋＨｚであり、ｓｌｏｔ内の第２のリソース領域に対応するサブキャリア間隔は３０ｋＨｚである。
【００８１】
基地局が、端末グループに対応するｇｒｏｕｐ ｃｏｍｍｏｎ ＰＤＣＣＨを通じて端末に端末グループの情報を送信するとき、端末グループに対応するｇｒｏｕｐ ｃｏｍｍｏｎ ＰＤＣＣＨのリソース集合で使用される異なるサブキャリア間隔は、１５ｋＨｚおよび３０ｋＨｚである。
【００８２】
一方、端末が、基地局が端末グループに対応するｇｒｏｕｐ ｃｏｍｍｏｎ ＰＤＣＣＨを通じて送信された端末グループの情報を受信するとき、端末グループに対応するｇｒｏｕｐ ｃｏｍｍｏｎ ＰＤＣＣＨのリソース集合で使用される異なるサブキャリア間隔は、１５ｋＨｚおよび３０ｋＨｚである。
【００８３】
オプションとして、異なるサブキャリア間隔端末が同じｓｌｏｔでデータ送受信のために使用するサブキャリア間隔であるとき、基地局は、異なるサブキャリア間隔を次のように使用して端末グループの情報を送信する。
【００８４】
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【００８５】
前記端末グループ内の端末が同じｓｌｏｔでのデータの送受信のために使用するサブキャリア間隔は図２に示されており、ここで、ｓｌｏｔ内の第１のリソース領域に対応するサブキャリア間隔が１５ｋＨｚであり、ｓｌｏｔ内の第２のリソース領域に対応するサブキャリア間隔は３０ｋＨｚである。
【００８６】
基地局が、端末グループに対応するｇｒｏｕｐ ｃｏｍｍｏｎ ＰＤＣＣＨを通じて端末に端末グループの情報を送信するとき、基地局は、第１のリソース領域に対応するｇｒｏｕｐ ｃｏｍｍｏｎ ＰＤＣＣＨのリソース集合において、１５ｋＨｚのサブキャリア間隔を使用して端末グループの情報を送信する。第２のリソース領域に対応するｇｒｏｕｐ ｃｏｍｍｏｎ ＰＤＣＣＨのリソース集合において、３０ｋＨｚのサブキャリア間隔を使用して端末グループの情報を送信する。
【００８７】
オプションとして、異なるサブキャリア間隔が、端末が同じｓｌｏｔでデータ送受信のために使用するサブキャリア間隔を含むとき、端末は、異なるサブキャリア間隔を次のように使用して端末グループの情報を受信する。
【００８８】
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【００８９】
前記端末グループ内の端末が同じｓｌｏｔでのデータの送受信のために使用するサブキャリア間隔は図２に示されており、ここで、ｓｌｏｔ内の第１のリソース領域に対応するサブキャリア間隔が１５ｋＨｚであり、ｓｌｏｔ内の第２のリソース領域に対応するサブキャリア間隔は３０ｋＨｚである。
【００９０】
端末は、端末グループに対応するｇｒｏｕｐ ｃｏｍｍｏｎ ＰＤＣＣＨを受信し、第１のリソース領域に対応するｇｒｏｕｐ ｃｏｍｍｏｎ ＰＤＣＣＨのリソース集合において、１５ｋＨｚのサブキャリア間隔を使用して端末グループの情報を受信する。第２のリソース領域に対応するｇｒｏｕｐ ｃｏｍｍｏｎ ＰＤＣＣＨのリソース集合において、３０ｋＨｚのサブキャリア間隔を使用して端末グループの情報を受信する。
【００９１】
場合ＩＩ：基地局は、ｓｌｏｔ間に異なるサブキャリア間隔が存在するように、構成する。
【００９２】
前記基地局は、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
【００９３】
ここで、基地局が、ｓｌｏｔ間に異なるサブキャリア間隔が存在するように、構成するとき、異なるサブキャリア間隔を使用するリソースは時間領域で直交する。
【００９４】
Ｉ：基地局は、前記端末グループに対応するｇｒｏｕｐ ｃｏｍｍｏｎ ＰＤＣＣＨのリソース集合において、端末グループの情報を送信するために固定サブキャリア間隔を使用する。
【００９５】
一方、端末は、前記端末グループに対応するｇｒｏｕｐ ｃｏｍｍｏｎ ＰＤＣＣＨのリソース集合において、固定サブキャリア間隔を使用して基地局から前記端末グループの情報を受信する。
【００９６】
オプションとして、基地局が、端末グループに対応するｇｒｏｕｐ ｃｏｍｍｏｎ ＰＤＣＣＨのリソース集合において端末グループの情報を送信するために固定サブキャリア間隔を使用することを決定した後、端末は、基地局からの通知を受信した後、端末グループに対応するｇｒｏｕｐ ｃｏｍｍｏｎ ＰＤＣＣＨのリソース集合において、固定サブキャリア間隔を使用して基地局から端末グループの情報を受信する。
【００９７】
オプションとして、前記固定サブキャリア間隔は、前記基地局が共通ダウンリンク制御チャネルのリソース集合の送信のために使用するサブキャリア間隔である。
【００９８】
たとえば、基地局は、ｓｌｏｔに２種類の異なるサブキャリア間隔が存在するように構成し、ｓｌｏｔ Ｎのサブキャリア間隔が１５ｋＨｚであり、ｓｌｏｔ Ｎ＋１のサブキャリア間隔は３０ｋＨｚであると想定する。そして、基地局が共通ダウンリンク制御チャネルのリソース集合の送信のために使用するサブキャリア間隔が１５ｋＨｚであり、基地局は、端末グループに対応するｇｒｏｕｐ ｃｏｍｍｏｎ ＰＤＣＣＨのリソース集合において、１５ｋＨｚのサブキャリア間隔を常に使用して、端末グループの情報を送信する。すなわち、基地局は、ｓｌｏｔ Ｎに対応するｇｒｏｕｐ ｃｏｍｍｏｎ ＰＤＣＣＨのリソース集合において、ｓｌｏｔ Ｎ＋１に対応するｇｒｏｕｐ ｃｏｍｍｏｎ ＰＤＣＣＨのリソース集合において、ともに１５ｋＨｚのサブキャリア間隔を使用して端末グループの情報を送信する。
【００９９】
一方、基地局は、ｓｌｏｔに２種類の異なるサブキャリア間隔が存在するように構成し、ｓｌｏｔ Ｎのサブキャリア間隔が１５ｋＨｚであり、ｓｌｏｔ Ｎ＋１のサブキャリア間隔は３０ｋＨｚであると想定する。また、端末が共通ダウンリンク制御チャネルのリソース集合の受信のために使用するサブキャリア間隔が１５ｋＨｚであり、端末は、端末グループに対応するｇｒｏｕｐ ｃｏｍｍｏｎ ＰＤＣＣＨのリソース集合において、１５ｋＨｚのサブキャリア間隔を常に使用して、基地局から端末グループの情報を受信する。すなわち、端末は、ｓｌｏｔ Ｎに対応するｇｒｏｕｐ ｃｏｍｍｏｎ ＰＤＣＣＨのリソース集合において、ｓｌｏｔ Ｎ＋１に対応するｇｒｏｕｐ ｃｏｍｍｏｎ ＰＤＣＣＨのリソース集合において、ともに１５ｋＨｚのサブキャリア間隔を使用して端末グループの情報を受信する。
【０１００】
基地局が共通ダウンリンク制御チャネルのリソース集合の送信のために使用するサブキャリア間隔を、固定サブキャリア間隔とすることは、本発明の実施形態の１つの実施モードにすぎないことに留意する必要がある。本発明の実施形態によって保護される固定サブキャリア間隔は、基地局が共通ダウンリンク制御チャネルのリソース集合の送信のために使用するサブキャリア間隔に限定されない。たとえば、本発明の実施形態では、固定サブキャリア間隔として所定値を取ることができる。
【０１０１】
たとえば、基地局は、ｓｌｏｔに２種類の異なるサブキャリア間隔が存在するように構成し、ｓｌｏｔ Ｎのサブキャリア間隔が１５ｋＨｚであり、ｓｌｏｔ Ｎ＋１のサブキャリア間隔は３０ｋＨｚであると想定する。そして、基地局が共通ダウンリンク制御チャネルのリソース集合の送信のために使用するサブキャリア間隔が１５ｋＨｚであり、基地局によって事前設定した固定サブキャリア間隔は３０ｋＨｚである。基地局は、端末グループに対応するｇｒｏｕｐ ｃｏｍｍｏｎ ＰＤＣＣＨのリソース集合において、３０ｋＨｚのサブキャリア間隔を常に使用して端末グループの情報を送信する。すなわち、基地局は、ｓｌｏｔ Ｎに対応するｇｒｏｕｐ ｃｏｍｍｏｎ ＰＤＣＣＨのリソース集合において、ｓｌｏｔ Ｎ＋１に対応するｇｒｏｕｐ ｃｏｍｍｏｎ ＰＤＣＣＨのリソース集合において、ともに３０ｋＨｚのサブキャリア間隔を使用して端末グループの情報を送信する。
【０１０２】
一方、基地局は、端末が２種類のサブキャリア間隔似従ってデータを受信するように、構成する。ｓｌｏｔ Ｎのサブキャリア間隔が１５ｋＨｚであり、ｓｌｏｔ Ｎ＋１のサブキャリア間隔は３０ｋＨｚであると想定する。また、端末が共通ダウンリンク制御チャネルのリソース集合の受信のために使用するサブキャリア間隔が１５ｋＨｚであり、基地局によって事前設定した固定サブキャリア間隔は３０ｋＨｚである。端末は、端末グループに対応するｇｒｏｕｐ ｃｏｍｍｏｎ ＰＤＣＣＨのリソース集合において、３０ｋＨｚのサブキャリア間隔を常に使用して基地局から端末グループの情報を受信する。すなわち、端末は、ｓｌｏｔ Ｎに対応するｇｒｏｕｐ ｃｏｍｍｏｎ ＰＤＣＣＨのリソース集合において、ｓｌｏｔ Ｎ＋１に対応するｇｒｏｕｐ ｃｏｍｍｏｎ ＰＤＣＣＨのリソース集合において、ともに３０ｋＨｚのサブキャリア間隔を使用して端末グループの情報を受信する。
【０１０３】
ＩＩ：基地局は、前記端末グループに対応するｇｒｏｕｐ ｃｏｍｍｏｎ ＰＤＣＣＨの異なるリソース集合において、異なるサブキャリア間隔を使用して端末グループの情報を送信する。
【０１０４】
一方、端末は、前記端末グループに対応するｇｒｏｕｐ ｃｏｍｍｏｎ ＰＤＣＣＨの異なるリソース集合において、異なるサブキャリア間隔を使用して基地局から前記端末グループの情報を受信する。
【０１０５】
オプションとして、基地局は、端末グループに対応するｇｒｏｕｐ ｃｏｍｍｏｎ ＰＤＣＣＨの異なるリソース集合において、異なるサブキャリア間隔を使用して当該ｇｒｏｕｐ ｃｏｍｍｏｎ ＰＤＣＣＨを通じて端末グループの情報を送信することを決定する。端末は、端末グループに対応するｇｒｏｕｐ ｃｏｍｍｏｎ ＰＤＣＣＨの異なるリソース集合において、異なるサブキャリア間隔を使用して当該ｇｒｏｕｐ ｃｏｍｍｏｎ ＰＤＣＣＨを通じて基地局から端末グループの情報を受信する。
【０１０６】
オプションとして、前記異なるサブキャリア間隔は、各ｓｌｏｔに対応するサブキャリア間隔を含む。
【０１０７】
基地局によって構成された異なるｓｌｏｔ内のサブキャリア間隔は図３に示されており、ここで、ｓｌｏｔ Ｎでのサブキャリア間隔が１５ｋＨｚであり、ｓｌｏｔ Ｎ＋１でのサブキャリア間隔は３０ｋＨｚである。
【０１０８】
基地局が、端末グループに対応するｇｒｏｕｐ ｃｏｍｍｏｎ ＰＤＣＣＨを通じて端末に端末グループの情報を送信するとき、端末グループに対応するｇｒｏｕｐ ｃｏｍｍｏｎ ＰＤＣＣＨのリソース集合で使用される異なるサブキャリア間隔は、１５ｋＨｚおよび３０ｋＨｚである。
【０１０９】
一方、端末が、基地局が端末グループに対応するｇｒｏｕｐ ｃｏｍｍｏｎ ＰＤＣＣＨを通じて送信された端末グループの情報を受信するとき、端末グループに対応するｇｒｏｕｐ ｃｏｍｍｏｎ ＰＤＣＣＨのリソース集合で使用される異なるサブキャリア間隔は、１５ｋＨｚおよび３０ｋＨｚである。
【０１１０】
オプションとして、異なるサブキャリア間隔が、各ｓｌｏｔに対応するサブキャリア間隔を含むとき、基地局は、異なるサブキャリア間隔を次のように使用して端末グループの情報を送信する。
【０１１１】
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送信する。
【０１１２】
基地局によって構成された異なるｓｌｏｔ内のサブキャリア間隔は図３に示されており、ここで、ｓｌｏｔ Ｎでのサブキャリア間隔が１５ｋＨｚであり、ｓｌｏｔ Ｎ＋１でのサブキャリア間隔は３０ｋＨｚである。
【０１１３】
基地局が、端末グループに対応するｇｒｏｕｐ ｃｏｍｍｏｎ ＰＤＣＣＨを通じて端末に端末グループの情報を送信するとき、基地局は、ｓｌｏｔ Ｎに対応するｇｒｏｕｐ ｃｏｍｍｏｎ ＰＤＣＣＨのリソース集合において、１５ｋＨｚのサブキャリア間隔を使用して端末グループの情報を送信する。ｓｌｏｔ Ｎ＋１に対応するｇｒｏｕｐ ｃｏｍｍｏｎ ＰＤＣＣＨのリソース集合において、３０ｋＨｚのサブキャリア間隔を使用して端末グループの情報を送信する。
【０１１４】
オプションとして、異なるサブキャリア間隔が、各ｓｌｏｔに対応するサブキャリア間隔を含むとき、端末は、異なるサブキャリア間隔を次のように使用して端末グループの情報を受信する：
【０１１５】
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【０１１６】
基地局によって構成された異なるｓｌｏｔ内のサブキャリア間隔は図３に示されており、ここで、ｓｌｏｔ Ｎでのサブキャリア間隔が１５ｋＨｚであり、ｓｌｏｔ Ｎ＋１でのサブキャリア間隔は３０ｋＨｚである。
【０１１７】
端末が、端末グループに対応するｇｒｏｕｐ ｃｏｍｍｏｎ ＰＤＣＣＨを通じて基地局から端末グループの情報を受信するとき、端末は、ｓｌｏｔ Ｎに対応するｇｒｏｕｐ ｃｏｍｍｏｎ ＰＤＣＣＨのリソース集合において、１５ｋＨｚのサブキャリア間隔を使用して端末グループの情報を送信する。ｓｌｏｔ Ｎ＋１に対応するｇｒｏｕｐ ｃｏｍｍｏｎ ＰＤＣＣＨのリソース集合において、３０ｋＨｚのサブキャリア間隔を使用して端末グループの情報を送信する。
【０１１８】
情報を送信する方法は、以下のいくつかの実施形態によって説明される。
【０１１９】
実施形態１：
基地局は、端末ＵＥ１が、異なる周波数領域位置で異なるサブキャリア間隔に従ってデータを送信／受信する必要があるように、構成したと想定する。たとえば、ＵＥ１は、ｒｅｇｉｏｎ（リソース領域）１において１５ｋＨｚサブキャリア間隔データを送受信するに従ってデータを送受信する必要があり、また、ＵＥ１は、ｒｅｇｉｏｎ２において３０ｋＨｚサブキャリア間隔に従って、データを送受信する。ここで、ｒｅｇｉｏｎ１およびｒｅｇｉｏｎ２は周波数領域で直交する。同時に、ＵＥ１は、１５ｋＨｚサブキャリア周波数に従って、共通ダウンリンク制御チャネルリソース集合において、共通ダウンリンク制御チャネルのデータを検出および受信する必要がある。基地局は、常に、共通ダウンリンク制御チャネルの送信に使用するサブキャリア間隔に従ってｇｒｏｕｐ ｃｏｍｍｏｎ ＰＤＣＣＨリソース集合においてｇｒｏｕｐ ｃｏｍｍｏｎ ＰＤＣＣＨのデータを送信する。すなわち、１５ｋＨｚサブキャリア間隔に従って、ｇｒｏｕｐ ｃｏｍｍｏｎ ＰＤＣＣＨのデータを送信する。端末は、ｇｒｏｕｐ ｃｏｍｍｏｎ ＰＤＣＣＨを送信するためのリソース集合において、１５ｋＨｚサブキャリア間隔に従って、ｇｒｏｕｐ ｃｏｍｍｏｎ ＰＤＣＣＨのデータを検出および受信すればよい。前記ｇｒｏｕｐ ｃｏｍｍｏｎ ＰＤＣＣＨは、少なくともｓｌｏｔの構造情報を含む。図４は、実施例１の概略図を示す。
【０１２０】
実施形態２：
基地局は、端末ＵＥ１が異なる時間領域位置で異なるサブキャリア間隔に従ってデータを送信／受信する必要があるように、構成すると仮定する。たとえば、ＵＥ１は、ｒｅｇｉｏｎ１において１５ｋＨｚサブキャリア間隔に従って、データを送受信する。また、ＵＥ１は、ｒｅｇｉｏｎ２において３０ｋＨｚサブキャリア間隔に従って、データを送受信する必要がある。ここで、ｒｅｇｉｏｎ１およびｒｅｇｉｏｎ２は時間領域で直交する。同時に、ＵＥ１は、１５ｋＨｚサブキャリア周波数に従って、共通ダウンリンク制御チャネルリソース集合において、共通ダウンリンク制御チャネルを検出および受信する必要がある。基地局は、常に、共通ダウンリンク制御チャネルの送信に使用するサブキャリア間隔に従ってｇｒｏｕｐ ｃｏｍｍｏｎ ＰＤＣＣＨリソース集合においてｇｒｏｕｐ ｃｏｍｍｏｎ ＰＤＣＣＨのデータを送信する。すなわち、１５ｋＨｚサブキャリア間隔に従って、ｇｒｏｕｐ ｃｏｍｍｏｎ ＰＤＣＣＨのデータを送信する。端末は、ｇｒｏｕｐ ｃｏｍｍｏｎ ＰＤＣＣＨを送信するためのリソース集合において、１５ｋＨｚサブキャリア間隔に従って、ｇｒｏｕｐ ｃｏｍｍｏｎ ＰＤＣＣＨのデータを検出および受信すればよい。前記ｇｒｏｕｐ ｃｏｍｍｏｎ ＰＤＣＣＨは、少なくともｓｌｏｔの構造情報を含む。図５は、実施例２の概略図を示す。
【０１２１】
実施形態３：
基地局は、端末ＵＥ１が、異なる周波数領域位置で異なるサブキャリア間隔に従ってデータを送信／受信する必要があるように、構成したと想定する。たとえば、ＵＥ１は、ｒｅｇｉｏｎ１において１５ｋＨｚサブキャリア間隔に従って、データを送受信する。また、ＵＥ１は、ｒｅｇｉｏｎ２において３０ｋＨｚサブキャリア間隔に従って、データを送受信する必要がある。ここで、ｒｅｇｉｏｎ１およびｒｅｇｉｏｎ２は周波数領域で直交する。基地局は、異なるサブキャリア間隔を使用するリソースにおいて、異なるサブキャリア間隔に従ってｇｒｏｕｐ ｃｏｍｍｏｎ ＰＤＣＣＨのデータを送信する。たとえば、基地局は、ｒｅｇｉｏｎ１において１５ｋＨｚサブキャリア間隔に従って、ｇｒｏｕｐ ｃｏｍｍｏｎ ＰＤＣＣＨのデータを送信する。基地局は、ｒｅｇｉｏｎ２において３０ｋＨｚサブキャリア間隔に従って、ｇｒｏｕｐ ｃｏｍｍｏｎ ＰＤＣＣＨのデータを送信する。端末は、構成された異なるサブキャリア間隔情報に従って、異なるサブキャリア間隔に対応するリソース内のｇｒｏｕｐ ｃｏｍｍｏｎ ＰＤＣＣＨ送信のためのリソース集合において、対応するサブキャリア間隔に従って、ｇｒｏｕｐ ｃｏｍｍｏｎ ＰＤＣＣＨのデータを検出および受信する。たとえば、ＵＥ１は、ｒｅｇｉｏｎ１内のｇｒｏｕｐ ｃｏｍｍｏｎ ＰＤＣＣＨ送信のためのリソース集合において、１５ｋＨｚサブキャリア間隔に従って、ｇｒｏｕｐ ｃｏｍｍｏｎ ＰＤＣＣＨのデータを検出および受信する。ＵＥ１は、ｒｅｇｉｏｎ２内のｇｒｏｕｐ ｃｏｍｍｏｎ ＰＤＣＣＨ送信のためのリソース集合において、３０ｋＨｚサブキャリア間隔に従って、ｇｒｏｕｐ ｃｏｍｍｏｎ ＰＤＣＣＨのデータを検出および受信する。図６は、実施例３の概略図を示す。
【０１２２】
実施形態４：
基地局は、端末ＵＥ１が異なる時間領域位置で異なるサブキャリア間隔に従ってデータを送信／受信する必要があるように、構成すると仮定する。たとえば、ＵＥ１は、ｒｅｇｉｏｎ１において１５ｋＨｚサブキャリア間隔に従って、データを送信／受信する。また、ＵＥ１は、ｒｅｇｉｏｎ２において３０ｋＨｚサブキャリア間隔に従って、データを送信／受信する必要がある。ここで、ｒｅｇｉｏｎ１およびｒｅｇｉｏｎ２は時間領域で直交する。基地局は、異なるサブキャリア間隔を使用するｓｌｏｔにおいて、異なるサブキャリア間隔に従ってｇｒｏｕｐ ｃｏｍｍｏｎ ＰＤＣＣＨのデータを送信する。たとえば、ｓｌｏｔ１で１５ｋＨｚサブキャリア間隔を使用し、ｓｌｏｔ２で３０ｋＨｚサブキャリア間隔を使用する。基地局は、ｓｌｏｔ１内のｇｒｏｕｐ ｃｏｍｍｏｎ ＰＤＣＣＨのリソース集合において、１５ｋＨｚサブキャリア間隔に従って、ｇｒｏｕｐ ｃｏｍｍｏｎ ＰＤＣＣＨのデータを送信する。基地局は、ｓｌｏｔ２内のｇｒｏｕｐ ｃｏｍｍｏｎ ＰＤＣＣＨの送信のためのリソース集合において、３０ｋＨｚサブキャリア間隔に従って、ｇｒｏｕｐ ｃｏｍｍｏｎ ＰＤＣＣＨのデータを送信する。端末は、異なるサブキャリア間隔を使用するｓｌｏｔにおいて、当該ｓｌｏｔでのサブキャリア間隔に従って、ｇｒｏｕｐ ｃｏｍｍｏｎ ＰＤＣＣＨを送信するためのリソース集合において、対応するサブキャリア間隔に従って、ｇｒｏｕｐ ｃｏｍｍｏｎ ＰＤＣＣＨのデータを検出および受信する。たとえば、ＵＥ１は、ｓｌｏｔ１内のｇｒｏｕｐ ｃｏｍｍｏｎ ＰＤＣＣＨ送信のためのリソース集合において、１５ｋＨｚサブキャリア間隔に従って、ｇｒｏｕｐ ｃｏｍｍｏｎ ＰＤＣＣＨのデータを検出および受信する。ＵＥ１は、ｓｌｏｔ２内のｇｒｏｕｐ ｃｏｍｍｏｎ ＰＤＣＣＨ送信のためのリソース集合において３０ｋＨｚサブキャリア間隔に従って、ｇｒｏｕｐ ｃｏｍｍｏｎ ＰＤＣＣＨのデータを検出および受信する。図７は、実施例４の概略図を示す。
【０１２３】
本発明の実施形態では、情報を送信する方法が説明されるとき、サブキャリア間隔、すなわち１５ｋＨｚおよび３０ｋＨｚのみが示されるが、本発明の実施形態のサブキャリア間隔は１５ｋＨｚおよび３０ｋＨｚに限定されないことに留意する必要がある。例えば、６０ｋＨｚおよび１２０ｋＨｚも本発明に適用可能であり、詳細な説明は省略する。
【０１２４】
さらに、本発明の実施形態では、情報を送信する方法を説明するとき、異なるサブキャリア間隔がｓｌｏｔに存在し、ｓｌｏｔ間に異なるサブキャリア間隔が存在することを説明するとき、２つの異なるサブキャリア間隔のみを示す。ただし、ｓｌｏｔ内またはｓｌｏｔ間に２つの異なるサブキャリアス間隔だけが存在するわけではない。たとえば、異なるサブキャリアスペースの数は３または４であり、詳細な説明は省略する。
【０１２５】
同じ発明思想に基づいて、本発明の実施形態は、情報を送信するための第１の基地局をさらに提供する。そして、情報を送信するための第１の基地局の問題解決のための原理は、本発明の実施形態の情報を送信するためのシステムのものと類似するため、したがって、当該基地局の実施は、システムの実施を参照することができ、繰り返しの詳細な説明は省略する。
【０１２６】
図８に示すように、本発明の実施形態情報を送信するための第１の基地局は、
送信する必要がある端末グループの情報を決定するための決定モジュール８０１と、
前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信するための送信モジュール８０２とを備える。
【０１２７】
オプションとして、前記固定サブキャリア間隔は、前記基地局が共通ダウンリンク制御チャネルのリソース集合の送信のために使用するサブキャリア間隔である。
【０１２８】
オプションとして、前記異なるサブキャリア間隔は、前記端末グループ内の端末が同じｓｌｏｔでのデータの送受信のために使用するサブキャリア間隔を含む。 
【０１２９】
オプションとして、前記送信モジュール８０２は、具体的に、
前記ｓｌｏｔ内の任意のサブキャリア間隔に対し、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【０１３０】
オプションとして、前記異なるサブキャリア間隔は、各ｓｌｏｔに対応するサブキャリア間隔を含む。
【０１３１】
オプションとして、前記送信モジュール８０２は、具体的に、
任意のｓｌｏｔに対し、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送信する。
【０１３２】
同じ発明思想に基づいて、本発明の実施形態は、情報を送信するための第１の端末をさらに提供する。当該情報を送信するための第１の端末の問題解決のための原理は、本発明の実施形態の情報を送信するためのシステムのものと類似するため、したがって、当該端末の実施は、システムの実施を参照することができ、繰り返しの詳細な説明は省略する。
【０１３３】
図９に示すように、本発明の実施形態情報を送信するための第１の端末は、
前記端末が属する端末グループに対応するグループ共通物理ダウンリンク制御チャネル（ｇｒｏｕｐ ｃｏｍｍｏｎ ＰＤＣＣＨ）を検出するための検出モジュール９０１と、
前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信するための受信モジュール９０２とを備える。
【０１３４】
オプションとして、前記固定サブキャリア間隔は、前記端末が共通ダウンリンク制御チャネルのリソース集合の受信のために使用するサブキャリア間隔である。
【０１３５】
オプションとして、前記異なるサブキャリア間隔は、前記端末が同じｓｌｏｔでデータ送受信のために使用するサブキャリア間隔を含む。
【０１３６】
オプションとして、前記受信モジュール９０２は、具体的に、
前記ｓｌｏｔ内の任意のサブキャリア間隔に対し、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【０１３７】
オプションとして、前記異なるサブキャリア間隔は、各ｓｌｏｔに対応するサブキャリア間隔を含む。
【０１３８】
オプションとして、前記受信モジュール９０２は、具体的に、
任意のｓｌｏｔに対し、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【０１３９】
図１０に示すように、本発明の実施形態情報を送信するための第２の基地局は、
送受信機１００２によりデータを送受信し、メモリ１００４内のプログラムを読み取り、以下のプロセスを実行するためのプロセッサ１００１と、
プロセッサ１００１の制御下でデータを送受信するための送受信機１００２とを備え、
前記プロセッサ１００１は、送信する必要がある端末グループの情報を決定し、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
【０１４０】
オプションとして、前記固定サブキャリア間隔は、前記基地局が共通ダウンリンク制御チャネルのリソース集合の送信のために使用するサブキャリア間隔である。
【０１４１】
オプションとして、前記異なるサブキャリア間隔は、前記端末グループ内の端末が同じｓｌｏｔでのデータの送受信のために使用するサブキャリア間隔を含む。
【０１４２】
オプションとして、前記プロセッサ１００１は、具体的に、前記ｓｌｏｔ内の任意のサブキャリア間隔に対し、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【０１４３】
オプションとして、前記異なるサブキャリア間隔は、各ｓｌｏｔに対応するサブキャリア間隔を含む。
【０１４４】
オプションとして、前記プロセッサ１００１は、具体的に、任意のｓｌｏｔに対し、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送信する。
【０１４５】
ここで、プロセッサ１００１と端末間のインタラクションは、送受信機１００２を介して行う。
【０１４６】
図１０において、バスアーキテクチャ（バス１０００で示す）において、バス１０００は、任意の数の相互接続するバス及びブリッジを備える。バス１０００は、プロセッサ１００１が代表となる１つまたは複数のプロセッサ及びメモリ１００４が代表となるメモリの多様な回路により接続される。バス１０００は、外部設備、電圧レギュレーター及び電力管理回路等の他の回路を接続することもできる。これらは、当該分野の周知技術であるため、本発明において、詳細に説明しない。バスインターフェース１００３は、バス１０００と送受信機１００２の間にインターフェースを提供する。送受信機１００２は、送信機と送信機を含む複数のコンポーネントであり、伝送媒体上の他のさまざまなデバイスと通信するためのユニットを提供する。プロセッサ１００１によって処理されたデータは、アンテナ１００５を介して無線媒体で送信され、さらに、アンテナ１００５はさらに、データを受信し、プロセッサ１００１にデータを送信するために使用される。
【０１４７】
プロセッサ１００１は、バス１０００の管理及び通常の処理を担当し、また、タイミング、周辺インターフェース、電圧調整、電源管理および他の制御機能を含む様々な機能を提供することができる。メモリ１００４は、プロセッサ１００１が動作する際に利用するデータを記憶することができる。
【０１４８】
任意選択で、プロセッサ１００１は、中央処理装置（ＣｅｎｔｒＡＬ Ｐｒｏｃｅｓｓｉｎｇ Ｕｎｉｔ，ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１４９】
図１１に示すように、本発明の実施形態情報を送信するための第２の端末は、
送受信機１１０２によりデータを送受信し、メモリ１１０４内のプログラムを読み取り、以下のプロセスを実行するためのプロセッサ１１０１と、
プロセッサ１１０１の制御下でデータを送受信するための送受信機１１０２とを備える。
【０１５０】
前記プロセッサ１１０１は、前記端末が属する端末グループに対応するグループ共通物理ダウンリンク制御チャネル（ｇｒｏｕｐ ｃｏｍｍｏｎ ＰＤＣＣＨ）を検出し、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信する。
【０１５１】
オプションとして、前記固定サブキャリア間隔は、前記端末が共通ダウンリンク制御チャネルのリソース集合の受信のために使用するサブキャリア間隔である。
【０１５２】
オプションとして、前記異なるサブキャリア間隔は、前記端末が同じｓｌｏｔでデータ送受信のために使用するサブキャリア間隔を含む。
【０１５３】
オプションとして、前記プロセッサ１１０１は、具体的に、前記ｓｌｏｔ内の任意のサブキャリア間隔に対し、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【０１５４】
オプションとして、前記異なるサブキャリア間隔は、各ｓｌｏｔに対応するサブキャリア間隔を含む。
【０１５５】
オプションとして、前記プロセッサ１１０１は、具体的に、任意のｓｌｏｔに対し、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【０１５６】
ここで、プロセッサ１１０１と基地局間のインタラクションは、送受信機１１０２を介して行う。
【０１５７】
図１１において、バスアーキテクチャ（バス１１００で示す）において、バス１１００は、任意の数の相互接続するバス及びブリッジを備える。バス１１００は、プロセッサ１１０１が代表となる１つまたは複数のプロセッサ及びメモリ１１０４が代表となるメモリの多様な回路により接続される。バス１１００は、外部設備、電圧レギュレーター及び電力管理回路等の他の回路を接続することもできる。これらは、当該分野の周知技術であるため、本発明において、詳細に説明しない。バスインターフェース１１０３は、バス１１００と送受信機１１０２の間にインターフェースを提供する。送受信機１１０２は、送信機と送信機を含む複数のコンポーネントであり、伝送媒体上の他のさまざまなデバイスと通信するためのユニットを提供する。プロセッサ１１０１によって処理されたデータは、アンテナ１１０５を介して無線媒体で送信され、さらに、アンテナ１１０５はさらに、データを受信し、プロセッサ１１０１にデータを送信するために使用される。
【０１５８】
プロセッサ１１０１は、バス１１００の管理及び通常の処理を担当し、また、タイミング、周辺インターフェース、電圧調整、電源管理および他の制御機能を含む様々な機能を提供することができる。メモリ１１０４は、プロセッサ１１０１が動作する際に利用するデータを記憶することができる。
【０１５９】
オプションとして、プロセッサ１１０１は、ＣＰＵ、ＡＳＩＣ、ＦＰＧＡまたはＣＰＬＤであってもよい。
【０１６０】
同じ発明思想に基づいて、本発明の実施形態は、情報を送信するための方法をさらに提供する。当該方法に対応する装置は本発明の実施形態情報を送信するための基地局であり、かつ当該方法の課題解決原理はシステムと類似するため、当該方法の実施は、システムの実施を参照することができ、繰り返しの詳細な説明は省略する。
【０１６１】
図１２に示すように、本発明の実施形態情報を送信するための方法では、
ステップ１２０１において、基地局は、送信する必要がある端末グループの情報を決定する。
【０１６２】
ステップ１２０２において、前記基地局は、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信する。
【０１６３】
オプションとして、前記固定サブキャリア間隔は、前記基地局が共通ダウンリンク制御チャネルのリソース集合の送信のために使用するサブキャリア間隔である。
【０１６４】
オプションとして、前記異なるサブキャリア間隔は、前記端末グループ内の端末が同じｓｌｏｔでのデータの送受信のために使用するサブキャリア間隔を含む。
【０１６５】
オプションとして、前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【０１６６】
オプションとして、前記異なるサブキャリア間隔は、各ｓｌｏｔに対応するサブキャリア間隔を含む。
【０１６７】
オプションとして、前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送信する。
【０１６８】
同じ発明思想に基づいて、本発明の実施形態は、情報を送信するための方法を提供する。当該方法に対応する装置は、本発明の実施形態情報を送信するための端末であり、かつ、当該方法の課題解決原理は、システムと類似するため、当該方法の実施は、システムの実施を参照することができ、繰り返しの詳細な説明は省略する。
【０１６９】
図１３に示すように、本発明の実施形態情報を送信するための方法では、
ステップ１３０１において、端末は、前記端末が属する端末グループに対応するグループ共通物理ダウンリンク制御チャネル（ｇｒｏｕｐ ｃｏｍｍｏｎ ＰＤＣＣＨ）を検出する。
【０１７０】
ステップ１３０２において、前記端末は、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信する。
【０１７１】
オプションとして、前記固定サブキャリア間隔は、前記基地局が共通ダウンリンク制御チャネルのリソース集合の送信のために使用するサブキャリア間隔である。
【０１７２】
オプションとして、前記異なるサブキャリア間隔は、前記端末が同じスロット（ｓｌｏｔ）においてデータの送受信のために使用するサブキャリア間隔を含む。
【０１７３】
オプションとして、前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信する。
【０１７４】
オプションとして、前記異なるサブキャリア間隔は、各ｓｌｏｔに対応するサブキャリア間隔を含む。
【０１７５】
オプションとして、前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信する。
【０１７６】
以上は本発明の実施形態の方法、装置（システム）、およびコンピュータプログラム製品のフロー図および／またはブロック図によって、本発明を記述した。コンピュータプログラム指令によって、フロー図および／またはブロック図における各フローおよび／またはブロックと、フロー図および／またはブロック図におけるフローおよび／またはブロックの結合を実現できることを理解すべきである。プロセッサはこれらのコンピュータプログラム指令を、汎用コンピュータ、専用コンピュータ、組込み式処理装置、または他のプログラム可能なデータ処理装置設備の処理装置に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０１７７】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連する処理を実現し、コンピュータまたは他のプログラム可能な設備において実行される指令によって、フロー図における一つまたは複数のフローおよび／またはブロック図における一つまたは複数のブロックに指定する機能を実現する。
【０１７８】
無論、当業者によって、上述した実施形態に記述された技術的な解決手段を修正し、またはその中の一部の技術要素を置換することもできる。そのような、修正と置換は本発明の各実施形態の技術の範囲から逸脱するとは見なされない。そのような修正と置換は、すべて本発明の請求の範囲に属する。
【符号の説明】
【０１７９】
１０  基地局
２０  端末
８０１  決定モジュール
８０２  送信モジュール
９０１  検出モジュール
９０２  受信モジュール
１０００，１１００  バス
１００１，１１０１  プロセッサ
１００２，１１０２  送受信機
１００３，１１０３  バスインターフェース
１００４，１１０４  メモリ
１００５，１１０５  アンテナ
【図１】
2020520158.tif 000003
【図２】
2020520158.tif 000004
【図３】
2020520158.tif 000005
【図４】
2020520158.tif 000006
【図５】
2020520158.tif 000007
【図６】
2020520158.tif 000008
【図７】
2020520158.tif 000009
【図８】
2020520158.tif 000010
【図９】
2020520158.tif 000011
【図１０】
2020520158.tif 000012
【図１１】
2020520158.tif 000013
【図１２】
2020520158.tif 000014
【図１３】
2020520158.tif 000015
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
基地局が、送信する必要がある端末グループの情報を決定し、
前記基地局が、前記端末グループに対応するグループ共通物理ダウンリンク制御チャネル（ｇｒｏｕｐ ｃｏｍｍｏｎ ＰＤＣＣＨ）のリソース集合において、固定サブキャリア間隔または異なるサブキャリア間隔を使用して前記端末グループの情報を送信することを特徴とする情報を送信するための方法。
【請求項２】
前記固定サブキャリア間隔は、前記基地局が共通ダウンリンク制御チャネルのリソース集合の送信のために使用するサブキャリア間隔であることを特徴とする請求項１に記載の情報を送信するための方法。
【請求項３】
前記異なるサブキャリア間隔は、端末が同じスロット（ｓｌｏｔ）でのデータの送受信のために使用するサブキャリア間隔を含むことを特徴とする請求項１に記載の情報を送信するための方法。
【請求項４】
前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
前記ｓｌｏｔ内の任意のサブキャリア間隔に対し、前記基地局は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を送信することを特徴とする請求項３に記載の情報を送信するための方法。
【請求項５】
前記異なるサブキャリア間隔は、各ｓｌｏｔに対応するサブキャリア間隔を含むことを特徴とする請求項１に記載の情報を送信するための方法。
【請求項６】
前記基地局が、前記端末グループに対応するグループ共通物理ダウンリンク制御チャネル（ｇｒｏｕｐ ｃｏｍｍｏｎ ＰＤＣＣＨ）のリソース集合において、異なるサブキャリア間隔を使用して前記端末グループの情報を送信する場合、
任意のｓｌｏｔに対し、前記基地局は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて前記端末グループの情報を送受信することを特徴とする請求項５に記載の情報を送信するための方法。
【請求項７】
基地局は、明示的なシグナリングを通じて端末によってｇｒｏｕｐ ｃｏｍｍｏｎ ＰＤＣＣＨを送信するために使用されるサブキャリア間隔を通知することを特徴とする請求項１に記載の情報を送信するための方法。
【請求項８】
端末が、前記端末が属する端末グループに対応するグループ共通物理ダウンリンク制御チャネル（ｇｒｏｕｐ ｃｏｍｍｏｎ ＰＤＣＣＨ）を検出し、
前記端末が、前記端末グループに対応するｇｒｏｕｐ ｃｏｍｍｏｎ ＰＤＣＣＨのリソース集合において、固定サブキャリア間隔または異なるサブキャリア間隔を使用して基地局から前記端末グループの情報を受信することを特徴とする情報を送信するための方法。
【請求項９】
前記固定サブキャリア間隔は、前記端末が共通ダウンリンク制御チャネルのリソース集合の受信のために使用するサブキャリア間隔であることを特徴とする請求項８に記載の情報を送信するための方法。
【請求項１０】
前記異なるサブキャリア間隔は、前記端末が同じスロット（ｓｌｏｔ）においてデータの送受信のために使用するサブキャリア間隔であることを特徴とする請求項８に記載の情報を送信するための方法。
【請求項１１】
前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
前記ｓｌｏｔ内の任意のサブキャリア間隔に対し、前記端末は、前記サブキャリア間隔に対応するｇｒｏｕｐ ｃｏｍｍｏｎ ＰＤＣＣＨのリソース集合において、前記サブキャリア間隔を使用して前記ｇｒｏｕｐ ｃｏｍｍｏｎ ＰＤＣＣＨを通じて前記端末グループの情報を受信することを特徴とする請求項１０に記載の情報を送信するための方法。
【請求項１２】
前記異なるサブキャリア間隔は、各ｓｌｏｔに対応するサブキャリア間隔を含むことを特徴とする請求項８に記載の情報を送信するための方法。
【請求項１３】
前記端末が、前記端末グループに対応するｇｒｏｕｐ ｃｏｍｍｏｎ ＰＤＣＣＨのリソース集合において、異なるサブキャリア間隔を使用して基地局から前記端末グループの情報を受信する場合、
任意のｓｌｏｔに対し、前記端末は、前記ｓｌｏｔに対応するｇｒｏｕｐ ｃｏｍｍｏｎ ＰＤＣＣＨのリソース集合において、前記ｓｌｏｔに対応するサブキャリア間隔を使用して前記ｇｒｏｕｐ ｃｏｍｍｏｎ ＰＤＣＣＨを通じて基地局から前記端末グループの情報を受信することを特徴とする請求項１２に記載の情報を送信するための方法。
【請求項１４】
端末によってｇｒｏｕｐ ｃｏｍｍｏｎ ＰＤＣＣＨを送信するために使用されるサブキャリア間隔は、基地局が明示的なシグナリングを通じて通知したものであることを特徴とする請求項８に記載の情報を送信するための方法。
【請求項１５】
送受信機によりデータを送受信し、メモリ内のプログラムを読み取り、請求項１から７のいずれか一項に記載の方法を実行するためのプロセッサと、
プロセッサの制御下でデータを送受信するための送受信機とを備えることを特徴とする基地局。
【請求項１６】
送受信機によりデータを送受信し、メモリ内のプログラムを読み取り、請求項８から１４のいずれか一項に記載の方法を実行するためのプロセッサと、
プロセッサの制御下でデータを送受信するための送受信機とを備えることを特徴とする端末。
【国際調査報告】
2020520158.tif 000016
2020520158.tif 000017
2020520158.tif 000018
2020520158.tif 000019